(57)【要約】  通信方法および無線通信装置が提供される。本方法は、無線通信装置によって、第1のセルに第1の要求メッセージを送信し、第1の要求メッセージは、第1のユーザと第1のセルとの無線接続を解放することを要求するために使用されること、無線通信装置によって、第1のセルから応答メッセージを受信し、応答メッセージは、第1の要求メッセージに応答するために使用されること、および無線通信装置によって、第2のセルに第2の要求メッセージを送信し、第2の要求メッセージは、第2のユーザと第2のセルとの無線接続を確立することを要求するために使用されることを含む。
2021513294.tif 000002
【特許請求の範囲】
【請求項１】
第1のユーザが第1のネットワークに接続し、前記第1のネットワークの第1のセルへの無線接続を維持できるように構成される、第1の通信モジュールと、
第2のユーザが第2のネットワークに接続し、前記第2のネットワークの第2のセルにキャンプできるように構成される、第2の通信モジュールと、
第1の要求メッセージを前記第1のセルに送信し、前記第1の要求メッセージが、前記第1のユーザと前記第1のセルとの前記無線接続を解放することを要求するために使用されるように構成される、送信モジュールと、
前記第1のセルから応答メッセージを受信し、前記応答メッセージが、前記第1の要求メッセージに応答するために使用されるように構成される、受信モジュールと、
を備え、
前記送信モジュールが、第2の要求メッセージを前記第2のセルに送信し、前記第2の要求メッセージが、前記第2のユーザと前記第2のセルとの無線接続の確立を要求するために使用される、ようにさらに構成される、
無線通信装置。
【請求項２】
前記第1のユーザが、前記第1のセルで接続状態であり、
前記応答メッセージは、第1の状態指示情報を含み、前記第1の状態指示情報は、前記第1のユーザが切り替える非アクティブ状態、ライト接続状態、またはアイドル状態を示し、
前記第1の通信モジュールは、前記第1のユーザが前記第1のネットワークの前記第1の状態指示情報によって示される前記状態に切り替えることができるようにさらに構成される、
請求項1に記載の無線通信装置。
【請求項３】
前記第1のユーザが、前記第1のセルで接続状態であり、
前記第1の要求メッセージは、第2の状態指示情報を含み、前記第2の状態指示情報は、前記第1のユーザが入る非アクティブ状態、ライト接続状態、またはアイドル状態を示す、
請求項1に記載の無線通信装置。
【請求項４】
前記第1のユーザが、前記第1のセルで接続状態であり、
前記受信モジュールが前記第1のセルから前記応答メッセージを受信した後、前記第1の通信モジュールは、前記第1のユーザが前記第1のネットワークのプリセット状態に切り替えることができ、前記プリセット状態は非アクティブ状態、ライト接続状態、またはアイドル状態である、ようにさらに構成される、
請求項1に記載の無線通信装置。
【請求項５】
前記第1の要求メッセージが、状態切り替え要求の原因を含み、
前記状態切り替え要求の原因は、前記第2のユーザが前記第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
前記状態切り替え要求の原因は、前記無線通信装置のアップリンク無線周波数が占有されていることである、
請求項1から4のいずれか一項に記載の無線通信装置。
【請求項６】
前記無線通信装置が、タイミングモジュールをさらに備え、
前記送信モジュールが前記第1の要求メッセージを前記第1のセルに送信した後、前記無線通信装置が、
前記タイミングモジュールを起動し、前記タイミングモジュールのタイミング期間は、前記送信モジュールが前記第1の要求メッセージを送信するための最小間隔期間である、
請求項1から5のいずれか一項に記載の無線通信装置。
【請求項７】
前記無線通信装置が、カウントモジュールをさらに備え、前記カウントモジュールが、
前記送信モジュールによって送信された第1の要求メッセージの量をカウントし、前記カウントモジュールによってカウントされた値がNより大きい場合、前記送信モジュールが前記第1の要求メッセージの送信を停止し、Nは前記送信モジュールが前記第1の要求メッセージを送信する回数の最大値で、Nは0より大きい整数である、ように構成される、
請求項6に記載の無線通信装置。
【請求項８】
前記第1の要求メッセージはユーザ機器支援情報（UE Assistance Information）シグナリングであり、前記第1の要求メッセージは無線リソース制御RRC接続解放要求指示情報を含み、前記RRC接続解放要求指示情報は前記第1のユーザと前記第1のセルとの前記無線接続の解放を要求するために使用される、請求項1から7のいずれか一項に記載の無線通信装置。
【請求項９】
無線通信装置が、第1のユーザが第1のネットワークに接続することを可能にし、前記第1のネットワークの第1のセルへの無線接続を維持し、前記無線通信装置は、第2のユーザが第2のネットワークに接続することを可能にし、前記第2のネットワークの第2のセルにキャンプすることが、
前記無線通信装置によって、第1の要求メッセージを前記第1のセルに送信するステップであって、前記第1の要求メッセージが、前記第1のユーザと前記第1のセルとの前記無線接続を解放することを要求するために使用される、ステップと、
前記無線通信装置によって、前記第1のセルから応答メッセージを受信するステップであって、前記応答メッセージが、前記第1の要求メッセージに応答するために使用される、ステップと、
前記無線通信装置によって、第2の要求メッセージを前記第2のセルに送信するステップであって、前記第2の要求メッセージが、前記第2のユーザと前記第2のセルとの無線接続の確立を要求するために使用される、ステップと
を含む、通信方法。
【請求項１０】
前記第1のユーザが前記第1のセルで接続状態であり、
前記応答メッセージは、第1の状態指示情報を含み、前記第1の状態指示情報は、前記第1のユーザが切り替える非アクティブ状態、ライト接続状態、またはアイドル状態を示し、
前記無線通信装置によって、前記第1のセルから応答メッセージを受信した前記ステップの後、前記方法が、
前記無線通信装置によって、前記第1のユーザが前記第1のネットワークの前記第1の状態指示情報によって示される前記状態に切り替えることを可能にする、ステップ
をさらに含む、請求項9に記載の方法。
【請求項１１】
前記第1のユーザが、前記第1のセルで接続状態であり、
前記第1の要求メッセージは、第2の状態指示情報を含み、前記第2の状態指示情報は、前記第1のユーザが入る非アクティブ状態、ライト接続状態、またはアイドル状態を示す、請求項9に記載の方法。
【請求項１２】
前記第1のユーザが、前記第1のセルで接続状態であり、
前記無線通信装置によって、前記第1のセルから応答メッセージを受信した前記ステップの後、前記方法が、
前記無線通信装置によって、前記第1のユーザが前記第1のネットワークのプリセット状態に切り替えることを可能にするステップであって、前記プリセット状態が、非アクティブ状態、ライト接続状態、またはアイドル状態である、ステップ
をさらに含む、
請求項9に記載の方法。
【請求項１３】
前記第1の要求メッセージが、状態切り替え要求の原因を含み、
前記状態切り替え要求の原因は、前記第2のユーザが前記第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
前記状態切り替え要求の原因は、前記無線通信装置のアップリンク無線周波数が占有されていることである、
請求項9から12のいずれか一項に記載の方法。
【請求項１４】
前記無線通信装置によって、第1の要求メッセージを前記第1のセルに送信した前記ステップの後、前記方法が、
前記無線通信装置によって、タイミングモジュールを起動するステップ、
をさらに含み、
前記タイミングモジュールのタイミング期間が、前記送信モジュールが前記第1の要求メッセージを送信するための最小間隔期間である、
請求項9から13のいずれか一項に記載の方法。
【請求項１５】
前記方法が、
カウントモジュールを介して前記無線通信装置によって、前記送信モジュールによって送信された第1の要求メッセージの量をカウントするステップと、
前記カウントモジュールによってカウントされた値がNより大きい場合、前記無線通信装置によって、前記第1の要求メッセージの送信を停止するステップであって、Nは前記送信モジュールが前記第1の要求メッセージを送信する回数の最大値で、Nは0より大きい整数である、ステップ
をさらに含む、請求項14に記載の方法。
【請求項１６】
前記第1の要求メッセージはユーザ機器支援情報（UE Assistance Information）シグナリングであり、前記第1の要求メッセージは無線リソース制御RRC接続解放要求指示情報を含み、前記RRC接続解放要求指示情報は前記第1のユーザと前記第1のセルとの前記無線接続の解放を要求するために使用される、請求項9から15のいずれか一項に記載の方法。
【請求項１７】
少なくとも1つのプロセッサを備える、無線通信装置であって、前記少なくとも1つのプロセッサは少なくとも1つのメモリに結合され、
前記少なくとも1つのプロセッサは、前記少なくとも1つのメモリに格納されたコンピュータプログラムまたは命令を実行するように構成され、その結果、前記無線通信装置が、請求項9から16のいずれか一項に記載の方法を実行する、無線通信装置。
【請求項１８】
プログラムまたは命令を含む、コンピュータ可読記憶媒体であって、前記プログラムまたは前記命令が実行されると、請求項9から16のいずれか一項に記載の方法が実行される、可読記憶媒体。
【発明の詳細な説明】
【技術分野】
【０００１】
本出願は、2018年2月11日に中国特許庁に提出され、「通信方法および無線通信装置」という名称の中国特許出願第201810143194．9号の優先権を主張し、その全体が参照により本明細書に組み入れられる。
【０００２】
本出願は、通信技術の分野に関し、特に、通信方法および無線通信装置に関する。
【背景技術】
【０００３】
通信技術の発達により、二重登録機能を備えた端末が広く利用されるようになっている。現在、二重登録機能を備えた端末の中で、あるタイプの端末は二重受信単一送信機能を有する。端末は同時に2つのネットワークに登録できるが、一度に1つのネットワークのみでデータ送信サービスを実行できる。つまり、端末は2つのネットワークで同時にデータ送信サービスを実行することができない。
【０００４】
二重受信単一送信機能を有する端末が2つのネットワークに同時に登録した後、端末が第1のネットワークで接続状態にあり、第1のネットワークでデータ送信を実行している場合、第2のネットワークが端末をページングすると、端末がどのように第2のネットワークのページングメッセージに同時に応答し、第1のネットワークとのデータ送信を実行するかについて、既存の規格には対応する仕様がない。したがって、従来技術では、二重受信単一送信機能を有し、同時に2つのネットワークに登録する端末は、2つのネットワークで同時にデータ送信を実行することができない。これは、ネットワーク側から送られたデータの送信が失敗し、リソースの浪費の問題を引き起こす可能性がある。
【発明の概要】
【０００５】
本出願の実施形態は、無線通信装置とネットワーク側との間のデータ送信の失敗の問題およびリソース浪費の問題を解決するための通信方法および無線通信装置を提供する。
【課題を解決するための手段】
【０００６】
第1の態様によれば、本出願の一実施形態は、無線通信装置を提供する。無線通信装置は、
第1のユーザが第1のネットワークに接続し、第1のネットワークの第1のセルへの無線接続を維持できるように構成される、第1の通信モジュールと、
第2のユーザが第2のネットワークに接続し、第2のネットワークの第2のセルにキャンプできるように構成される、第2の通信モジュールと、
第1の要求メッセージを第1のセルに送信し、第1の要求メッセージが、第1のユーザと第1のセルとの無線接続を解放することを要求するために使用されるように構成される、送信モジュールと、
第1のセルから応答メッセージを受信し、応答メッセージが、第1の要求メッセージに応答するために使用されるように構成される、受信モジュールと
を含み、
送信モジュールは、第2の要求メッセージを第2のセルに送信し、第2の要求メッセージが、第2のユーザと第2のセルとの無線接続の確立を要求するために使用されるようにさらに構成される。
【０００７】
前述の装置によれば、無線通信装置が第1のネットワークの第1のユーザと第1のセルとの無線接続を維持し、第2のユーザが第2のネットワークの第2のセルにキャンプすることを可能にするとき、第2のユーザと第2のセルとの無線接続が確立される前に、第1の要求メッセージを使用することによって、第1のユーザと第1のセルとの無線接続が解放される。このようにして、第1のセルは第1のユーザへの無線接続の状態を決定し、第1のセルはダウンリンクデータを送信しなくなることがあり得、それによってダウンリンクデータの送信の失敗を回避し、リソースの使用率を改善する。
【０００８】
前述の装置によれば、無線通信装置が第1のネットワークの第1のユーザと第1のセルとの無線接続を維持し、第2のユーザが第2のネットワークの第2のセルにキャンプすることを可能にするとき、第2のユーザと第2のセルとの無線接続が確立される前に、第1の要求メッセージを使用することによって、第1のユーザと第1のセルとの無線接続が解放される。このようにして、第1のセルは第1のユーザへの無線接続の状態を決定し、第1のセルはダウンリンクデータを送信しなくなることがあり得、それによってダウンリンクデータの送信の失敗を回避し、リソースの使用率を改善する。
【０００９】
任意選択の実装では、第1のユーザは第1のセルで接続状態であり、
応答メッセージは、第1の状態指示情報を含み、第1の状態指示情報は、第1のユーザが切り替える非アクティブ状態、ライト接続状態、またはアイドル状態を示し、
第1の通信モジュールは、第1のユーザが第1のネットワークの第1の状態指示情報によって示される状態に切り替えることができるようにさらに構成される。
【００１０】
応答メッセージは第1の状態指示情報を含むので、無線通信装置は、第1の状態指示情報に基づいて第1のセルの第1のユーザの状態を直接決定し得、それによって状態切り替え遅延を低減し、システム効率を改善し得る。
【００１１】
任意選択の実装では、第1のユーザは第1のセルで接続状態であり、
第1の要求メッセージは、第2の状態指示情報を含み、第2の状態指示情報は、第1のユーザが入る非アクティブ状態、ライト接続状態、またはアイドル状態を示す。
【００１２】
無線通信装置は、第2の状態指示情報を使用することによって、第1のユーザが第1のセルで維持する必要がある状態を示すので、ネットワーク側は、第1のセルの無線通信装置の状態を比較的迅速に決定でき、それによってシステム効率を改善できる。
【００１３】
任意選択の実装では、第1のユーザは第1のセルで接続状態であり、
受信モジュールが第1のセルから応答メッセージを受信した後、第1の通信モジュールは、第1のユーザが第1のネットワークのプリセット状態に切り替えることができ、プリセット状態は非アクティブ状態、ライト接続状態、またはアイドル状態であるようにさらに構成される。
【００１４】
前述の解決策では、無線通信装置と第1のセルとの間で交換されるシグナリングは、いくつかのリソースを占有し、第1のセルから応答メッセージを受信した後、無線通信装置は、第1のユーザと第1のセルとの無線接続を解放し、第2のセルへの無線接続を迅速に確立し得、それによって、第2のセルでのサービスの確立の遅延を低減し得る。
【００１５】
任意選択の実装では、第1の要求メッセージは状態切り替え要求の原因を含み、
状態切り替え要求の原因は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
状態切り替え要求の原因は、無線通信装置のアップリンク無線周波数が占有されていることである。
【００１６】
任意選択の実装では、無線通信装置はタイミングモジュールをさらに含み、
送信モジュールが第1の要求メッセージを第1のセルに送信した後、無線通信装置は、
タイミングモジュールを起動し、タイミングモジュールのタイミング期間は、送信モジュールが第1の要求メッセージを送信するための最小間隔期間である。
【００１７】
第1の要求メッセージを送信する頻度は、タイミングモジュールを起動することで効果的に制御でき、これによって、シグナリングストームを回避し、システムリソースの使用率を改善できる。
【００１８】
任意選択の実装では、無線通信装置はカウントモジュールをさらに含み、カウントモジュールは、
送信モジュールによって送信された第1の要求メッセージの量をカウントし、
カウントモジュールによってカウントされた値がNより大きい場合、送信モジュールは第1の要求メッセージの送信を停止し、Nは送信モジュールが第1の要求メッセージを送信する回数の最大値で、Nは0より大きい整数である、
ように構成される。
【００１９】
任意選択の実装では、第1の要求メッセージはユーザ機器支援情報（UE Assistance Information）シグナリングであり、第1の要求メッセージは無線リソース制御RRC接続解放要求指示情報を含み、RRC接続解放要求指示情報は第1のユーザと第1のセルとの無線接続の解放を要求するために使用される。
【００２０】
任意選択の実装では、第1の要求メッセージは接続変更要求メッセージ（connection change request message）であり、接続変更要求メッセージは、無線リソース制御（radio resource control、rrc）接続設定（ConnectionPreference）情報要素またはrrc接続アシスタンス（ConnectionAssistance）情報要素を含み、rrc接続設定情報要素またはrrc接続アシスタンス情報要素は、第1のセルへの無線接続の変更を要求するために使用される。
【００２１】
任意選択の実装では、第1の要求メッセージは接続解放要求メッセージ（connection release request message）であり、接続解放要求メッセージは、rrc接続設定（ConnectionPreference）情報要素またはrrc接続アシスタンス（ConnectionAssistance）情報要素を含み、rrc接続設定情報要素またはrrc接続アシスタンス情報要素は、第1のセルへの無線接続の変更を要求するために使用される。
【００２２】
任意選択の実装では、第1の要求メッセージは状態変更要求メッセージ（state change request message）であり、状態変更要求メッセージは、rrc接続設定（ConnectionPreference）情報要素またはrrc接続アシスタンス（ConnectionAssistance）情報要素を含み、rrc接続設定情報要素またはrrc接続アシスタンス情報要素は、第1のセルへの無線接続の変更を要求するために使用される。
【００２３】
任意選択の実装では、応答メッセージは無線通信装置用に構成されたアップリンク送信リソースを含み、アップリンク送信リソースは、第1のユーザが非アクティブ状態またはライト接続状態から第1のネットワークとの送信を復元するとき、アップリンクデータ送信を実行するために使用される。
【００２４】
任意選択の実装では、次がさらに含まれる、すなわち、
第1のユーザが非アクティブ状態、ライト接続状態、またはアイドル状態に入ることを可能にした後、第1の通信モジュールは、タイミングアドバンスタイマーを維持し続け、タイミングアドバンスタイマーのアップリンクタイミング値を格納する。
【００２５】
任意選択の実装では、次がさらに含まれる、すなわち、
第1のユーザが第1のネットワークへの無線接続を復元する前に、タイミングアドバンスタイマーが期限切れではないことを第1の通信モジュールが決定できるようにするとき、無線通信装置は、第1のユーザのために格納されたアップリンクタイミング値に基づいてアップリンクデータ送信を実行するか、または現在のアップリンクタイミング値および構成されたアップリンク送信リソースに基づいてアップリンクデータ送信を実行する。
【００２６】
任意選択の実装では、受信モジュールは、
第1のネットワークによって送信された専用シグナリングをリスンし、専用シグナリングは、サービス確立要求、ページング要求、または第1のネットワークの第1のユーザの新しいデータ無線ベアラ確立要求を示すために使用される、
ようにさらに構成される。
【００２７】
任意選択の実装では、専用シグナリングは、物理ダウンリンク制御チャネル（physical downlink control channel、PDCCH）専用シグナリングである。
【００２８】
任意選択の実装では、送信モジュールが第1の要求メッセージを第1のセルに送信する前に、受信モジュールは、
第2のネットワークによって送信されたページングメッセージを受信し、ページングメッセージは、サービスタイプ指示情報またはサービスのサービス品質（quality of service、QoS）情報を含み、サービスタイプ指示情報によって示されたサービスは、音声サービス、データサービス、低遅延サービス、高信頼性サービス、または低遅延および高信頼性サービスの少なくとも1つであり、サービスQoS情報は、サービスのサービス品質クラス識別子（QoS class identifier、QCI）指示情報、サービス待ち時間要件指示情報、およびサービス信頼性要件指示情報の少なくとも1つを含む、ようにさらに構成される。
【００２９】
第2の態様によれば、本出願の一実施形態は、端末に適用される、無線通信装置を提供する。無線通信装置は、
端末が第1のユーザのIDとして第1のネットワークに接続し、第1のネットワークの第1のセルへの無線接続を維持でき、端末が第2のユーザのIDとして第2のネットワークに接続し、第2のネットワークの第2のセルにキャンプできるように構成される、プロセッサと、
第1の要求メッセージを第1のセルに送信し、第1の要求メッセージが、第1のユーザと第1のセルとの無線接続を解放することを要求するために使用されるように構成される、トランシーバと、
を含み、
トランシーバは、第1のセルから応答メッセージを受信し、応答メッセージが、第1の要求メッセージに応答するために使用されるように構成され、
トランシーバは、第2の要求メッセージを第2のセルに送信し、第2の要求メッセージが、第2のユーザと第2のセルとの無線接続の確立を要求するために使用されるようにさらに構成される。
【００３０】
前述の装置によれば、無線通信装置が第1のユーザのIDとして第1のネットワークの第1のセルへの無線接続を維持し、第2のユーザのIDとして第2のネットワークの第2のセルにキャンプするとき、第2のセルへの無線接続が、第2のユーザのIDとして確立される前に、第1の要求メッセージは、第1のユーザのIDとして第1のセルへの無線接続を解放するために使用される。このようにして、第1のセルは第1のユーザへの無線接続の状態を決定し、第1のセルはダウンリンクデータを送信しなくなることがあり得、それによってダウンリンクデータの送信の失敗を回避し、リソースの使用率を改善する。
【００３１】
任意選択の実装では、無線通信装置は第1のユーザのIDとして第1のセルで接続状態であり、
応答メッセージは、第1の状態指示情報を含み、第1の状態指示情報は、第1のユーザが切り替える非アクティブ状態、ライト接続状態、またはアイドル状態を示し、
プロセッサは、第1のユーザが第1のネットワークの第1の状態指示情報によって示される状態に切り替えることができるようにさらに構成される。
【００３２】
応答メッセージは第1の状態指示情報を含むので、無線通信装置は、第1の状態指示情報に基づいて第1のセルの第1のユーザの状態を直接決定し得、それによって状態切り替え遅延を低減し、システム効率を改善し得る。
【００３３】
任意選択の実装では、無線通信装置は第1のユーザのIDとして第1のセルで接続状態であり、
第1の要求メッセージは、第2の状態指示情報を含み、第2の状態指示情報は、第1のユーザが入る非アクティブ状態、ライト接続状態、またはアイドル状態を示す。
【００３４】
無線通信装置は、第2の状態指示情報を使用することによって、第1のユーザが第1のセルで維持する必要がある状態を示すので、ネットワーク側は、無線通信装置の第1のセルにある状態を比較的迅速に決定でき、それによってシステム効率を改善する。
【００３５】
任意選択の実装では、無線通信装置は第1のユーザのIDとして第1のセルで接続状態であり、
トランシーバが第1のセルから応答メッセージを受信した後、第1の通信モジュールは、第1のユーザが第1のネットワークのプリセット状態に切り替えることができ、プリセット状態は非アクティブ状態、ライト接続状態、またはアイドル状態であるようにさらに構成される。
【００３６】
任意選択の実装では、第1の要求メッセージは状態切り替え要求の原因を含み、
状態切り替え要求の原因は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
状態切り替え要求の原因は、無線通信装置のアップリンク無線周波数が占有されていることである。
【００３７】
任意選択の実装では、無線通信装置はタイミングモジュールをさらに含み、トランシーバ503が第1の要求メッセージを第1のセルに送信した後、プロセッサ501は、
タイミングモジュールを起動し、タイミングモジュールのタイミング期間は、送信モジュールが第1の要求メッセージを送信するための最小間隔期間である、
ように構成される。
【００３８】
第1の要求メッセージを送信する頻度は、タイミングモジュールを起動することで効果的に制御でき、これによって、シグナリングストームを回避し、システムリソースの使用率を改善できる。
【００３９】
任意選択の実装では、無線通信装置はカウントモジュールをさらに含み、プロセッサは、
カウントモジュールのカウント値を1だけ増加させ、カウントモジュールは、送信された第1の要求メッセージの量をカウントするように構成され、無線通信装置はカウントモジュールによってカウントされた値がNより大きい場合、送信モジュールは第1の要求メッセージの送信を停止し、Nは第1の要求メッセージを送信する回数の最大値で、Nは0より大きい整数である、
ようにさらに構成される。
【００４０】
任意選択の実装では、第1の要求メッセージはユーザ機器支援情報シグナリングであり、第1の要求メッセージは無線リソース制御RRC接続解放要求指示情報を含み、RRC接続解放要求指示情報は第1のユーザと第1のセルとの無線接続の解放を要求するために使用される。
【００４１】
本出願のこの実施形態は、無線通信装置を提供する。無線通信装置は、
接続変更要求メッセージ（connection change request message）を第1のネットワークの第1のセルに送信するように構成された、送信モジュールであって、接続変更要求メッセージは、rrc接続設定（ConnectionPreference）情報要素またはrrc接続支援（ConnectionAssistance）情報要素を含み、rrc接続優先情報要素またはrrc接続支援情報要素は、第1のセルへの無線接続を変更することを要求するために使用される送信モジュールと、
第1のセルから応答メッセージを受信するように構成された受信モジュールであって、応答メッセージは、接続変更要求メッセージに応答するために使用される受信モジュールと、
を含み、
送信モジュールは、接続確立要求メッセージを第2のセルに送信するように構成され、接続確立要求メッセージは、第2のネットワークの第2のセルへの無線接続を確立することを要求するために使用される。
【００４２】
本出願のこの実施形態は、無線通信装置を提供する。無線通信装置は、
接続解放要求メッセージ（connection release request message）を第1のネットワークの第1のセルに送信するように構成された、送信モジュールであって、接続解放要求メッセージは、rrc接続設定（ConnectionPreference）情報要素またはrrc接続支援（ConnectionAssistance）情報要素を含み、rrc接続優先情報要素またはrrc接続支援情報要素は、第1のセルへの無線接続を変更することを要求するために使用される送信モジュールと、
第1のセルから応答メッセージを受信するように構成された受信モジュールであって、応答メッセージは、接続解放要求メッセージに応答するために使用される受信モジュールと
を含み、
送信モジュールは、接続確立要求メッセージを第2のセルに送信するように構成され、接続確立要求メッセージは、第2のネットワークの第2のセルへの無線接続を確立することを要求するために使用される。
【００４３】
本出願のこの実施形態は、無線通信装置を提供する。無線通信装置は、
状態変更要求メッセージ（state change request message）を第1のネットワークの第1のセルに送信するように構成された、送信モジュールであって、状態変更要求メッセージは、rrc接続設定（ConnectionPreference）情報要素またはrrc接続支援（ConnectionAssistance）情報要素を含み、rrc接続優先情報要素またはrrc接続支援情報要素は、第1のセルへの無線接続を変更することを要求するために使用される、送信モジュールと、
第1のセルから応答メッセージを受信するように構成された受信モジュールであって、応答メッセージは、状態変更要求メッセージに応答するために使用される受信モジュール
を含み、
送信モジュールは、接続確立要求メッセージを第2のセルに送信するように構成され、接続確立要求メッセージは、第2のネットワークの第2のセルへの無線接続を確立することを要求するために使用される。
【００４４】
第3の態様によれば、本出願の一実施形態は通信方法を提供し、無線通信装置が、第1のユーザが第1のネットワークに接続することを可能にし、第1のネットワークの第1のセルへの無線接続を維持し、無線通信装置が、第2のユーザが第2のネットワークに接続することを可能にし、第2のネットワークの第2のセルにキャンプすることが、
無線通信装置によって、第1の要求メッセージを第1のセルに送信するステップであって、第1の要求メッセージが、第1のユーザと第1のセルとの無線接続を解放することを要求するために使用される、ステップと、
無線通信装置によって、第1のセルから応答メッセージを受信するステップであって、応答メッセージが、第1の要求メッセージに応答するために使用される、ステップと、
無線通信装置によって、第2の要求メッセージを第2のセルに送信するステップであって、第2の要求メッセージが、第2のユーザと第2のセルとの無線接続の確立を要求するために使用される、ステップと
を含む。
【００４５】
任意選択の実装では、第1のユーザは第1のセルで接続状態であり、
応答メッセージは、第1の状態指示情報を含み、第1の状態指示情報は、第1のユーザが切り替える非アクティブ状態、ライト接続状態、またはアイドル状態を示し、
無線通信装置によって、第1のセルから応答メッセージを受信した後、方法は、
無線通信装置によって、第1のユーザが第1のネットワークの第1の状態指示情報によって示される状態に切り替えることを可能にするステップ
をさらに含む。
【００４６】
任意選択の実装では、第1のユーザは第1のセルで接続状態であり、
第1の要求メッセージは、第2の状態指示情報を含み、第2の状態指示情報は、第1のユーザが入る非アクティブ状態、ライト接続状態、またはアイドル状態を示す。
【００４７】
任意選択の実装では、第1のユーザは第1のセルで接続状態であり、
無線通信装置によって、第1のセルから応答メッセージを受信した後、方法は、
無線通信装置によって、第1のユーザが第1のネットワークのプリセット状態に切り替えることを可能にするステップであって、プリセット状態は、非アクティブ状態、ライト接続状態、またはアイドル状態である、ステップ
をさらに含む。
【００４８】
任意選択の実装では、第1の要求メッセージは状態切り替え要求の原因を含み、
状態切り替え要求の原因は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
状態切り替え要求の原因は、無線通信装置のアップリンク無線周波数が占有されていることである。
【００４９】
任意選択の実装では、無線通信装置によって、第1の要求メッセージを第1のセルに送信するステップの後、方法は、
無線通信装置によって、タイミングモジュールを起動するステップ
をさらに含み、
タイミングモジュールのタイミング期間は、送信モジュールが第1の要求メッセージを送信するための最小間隔期間である。
【００５０】
任意選択の実装では、方法は、
カウントモジュールを介して無線通信装置によって、送信モジュールによって送信された第1の要求メッセージの量をカウントするステップと、
カウントモジュールによってカウントされた値がNより大きい場合、無線通信装置によって、第1の要求メッセージの送信を停止するステップであって、Nは送信モジュールが第1の要求メッセージを送信する回数の最大値で、Nは0より大きい整数である、停止するステップと、
をさらに含む。
【００５１】
任意選択の実装では、第1の要求メッセージはユーザ機器支援情報（UE Assistance Information）シグナリングであり、第1の要求メッセージは無線リソース制御RRC接続解放要求指示情報を含み、RRC接続解放要求指示情報は第1のユーザと第1のセルとの無線接続の解放を要求するために使用される。
【００５２】
任意選択の実装では、応答メッセージは無線通信装置用に構成されたアップリンク送信リソースを含み、アップリンク送信リソースは、第1のユーザが非アクティブ状態またはライト接続状態から第1のネットワークとの送信を復元するとき、アップリンクデータ送信を実行するために使用される。
【００５３】
任意選択の実装では、方法は、
第1のユーザが非アクティブ状態、ライト接続状態、またはアイドル状態に入ることを可能にした後、無線通信装置は、タイミングアドバンスタイマーを維持し続け、タイミングアドバンスタイマーのアップリンクタイミング値を格納すること
をさらに含む。
【００５４】
任意選択の実装では、次がさらに含まれる、すなわち、
第1のユーザが第1のネットワークへの無線接続を復元する前に、タイミングアドバンスタイマーが期限切れではないことを無線通信装置が決定できるようにする場合、第1のユーザは、格納されたアップリンクタイミング値を使用することによってアップリンクデータ送信を実行するか、または現在のアップリンクタイミング値および構成されたアップリンク送信リソースを使用することによってアップリンクデータ送信を実行すること。
【００５５】
任意選択の実装では、次がさらに含まれる、すなわち、
無線通信装置は第1のネットワークによって送信された専用シグナリングをリスンし続け、専用シグナリングは、サービス確立要求、ページング要求、または第1のネットワークの第1のユーザの新しいデータ無線ベアラ確立要求を示すために使用されること。
【００５６】
任意選択の実装では、専用シグナリングは、物理ダウンリンク制御チャネル（physical downlink control channel、PDCCH）専用シグナリングである。
【００５７】
任意選択の実装では、無線通信装置によって、第1の要求メッセージを第1のセルに送信する前に、方法は、
第2のネットワークによって送信されたページングメッセージを受信するステップであって、ページングメッセージは、サービスタイプ指示情報またはサービスのQoS情報を含み、サービスタイプ指示情報によって示されたサービスは、音声サービス、データサービス、低遅延サービス、高信頼性サービス、または低遅延および高信頼性サービスの少なくとも1つであり、サービスQoS情報は、サービスのQCI指示情報、サービス待ち時間要件指示情報、およびサービス信頼性要件指示情報の少なくとも1つを含む、ステップ、
をさらに含む。
【００５８】
第4の態様によれば、本出願の一実施形態は、第3の態様または第3の態様の可能な設計のいずれか1つによる方法を実装し、前述の方法のステップを実装するように構成される無線通信装置を提供する。
【００５９】
第5の態様によれば、本出願の一実施形態は、無線通信装置を提供する。無線通信装置は少なくとも1つのプロセッサを含み、少なくとも1つのプロセッサは少なくとも1つのメモリに結合され、
少なくとも1つのプロセッサは、少なくとも1つのメモリに格納されたコンピュータプログラムまたは命令を実行するように構成され、その結果、無線通信装置は、第3の態様または第3の態様の可能な設計のいずれか1つによる方法を実行する。
【００６０】
第6の態様によれば、本出願の一実施形態は、コンピュータ可読記憶媒体を提供する。コンピュータ記憶媒体は、コンピュータ可読命令を格納する。コンピュータがコンピュータ可読命令を読み取って実行すると、コンピュータは、第3の態様または第3の態様の可能な設計のいずれか1つによる方法を実行することが可能になる。
【００６１】
第7の態様によると、本出願の一実施形態は、コンピュータプログラム製品を提供する。コンピュータがコンピュータプログラム製品を読み取って実行すると、コンピュータは、第3の態様または第3の態様の可能な設計のいずれか1つによる方法を実行することが可能になる。
【００６２】
第8の態様によると、本出願の一実施形態は、チップを提供する。チップはメモリに接続され、メモリに格納されたソフトウェアプログラムを読み取って実行し、第3の態様または第3の態様の可能な設計のいずれか1つによる方法を実装するように構成される。
【００６３】
第9の態様によると、本出願の一実施形態は、チップを提供する。チップはメモリに接続され、メモリに格納された命令または構成データを読み取って実行し、第3の態様または第3の態様の可能な設計のいずれか1つによる方法を実装するように構成される。
【図面の簡単な説明】
【００６４】
【図１】本出願の一実施形態による通信方法が適用可能な通信システムの概略図である。
【図２】本出願の一実施形態による無線通信装置の概略構造図である。
【図３】本出願の一実施形態による通信方法の概略フローチャートである。
【図４】本出願の一実施形態による通信方法の概略フローチャートである。
【図５】本出願の一実施形態による無線通信装置の概略構造図である。
【発明を実施するための形態】
【００６５】
次では、本明細書の添付図面を参照して、本出願の実施形態を詳細に説明する。
【００６６】
本出願の実施形態は、様々なモバイル通信システム、例えば、新しい無線（new radio、NR）システム、モバイル通信のグローバルシステム（global system of mobile communication、GSM）システム、符号分割多元接続（code division multiple access、CDMA）システム、広帯域符号分割多元接続（wideband code division multiple access、WCDMA（登録商標））システム、一般パケット無線サービス（general packet radio service、GPRS）システム、ロングタームエボリューション（long term evolution、LTE）システム、アドバンストロングタームエボリューション（advanced long term evolution、LTE−A）システム、ユニバーサル・モバイル・テレコミュニケーション・システム（universal mobile telecommunication system、UMTS）、エボルブドロングタームエボリューション（evolved long term evolution、eLTE）システム、将来の通信システム、および別の通信システムに適用されてもよい。具体的には、これは本明細書では限定されない。
【００６７】
本出願の実施形態の理解を容易にするために、図1に示される通信システムが最初に例として使用され、本出願の実施形態が適用可能な通信システムを詳細に説明する。図1は、本出願の一実施形態による通信方法が適用可能な通信システムの概略図である。図1で示されるように、第1のネットワークはネットワークデバイス101を含み、第2のネットワークはネットワークデバイス102を含む。無線通信装置103は、2人のユーザがネットワークデバイス101のセルおよびネットワークデバイス102のセルに接続することを同時に可能にし、一方のユーザがネットワークデバイス101のセルへの無線接続を維持することを可能にし、他方のユーザがネットワークデバイス102のセルにキャンプすることを可能にすることができる。無線通信装置103は、二重受信単一送信機能を有する。具体的には、無線通信装置103は、ネットワークデバイス101によって送信されたダウンリンクデータおよびネットワークデバイス102によって送信されたダウンリンクデータを同時に受信し、アップリンクデータをネットワークデバイス101またはネットワークデバイス102に送信することができる。
【００６８】
本出願のこの実施形態では、「ユーザ」は論理的概念であり、「ユーザ」は、加入者識別モジュール（subscriber identity module、SIM）カード、加入者情報、仮想SIMカード、または加入者ID（例えば、国際モバイル加入者ID（international mobile subscriber identity、IMSI）／一時モバイル加入者ID（temporary mobile subscriber identity、TMSI））に対応し得るが、自然人、物理的な人ユーザ、端末（携帯電話）などに限定されないことに留意していただきたい。ネットワーク側の観点から、異なる「ユーザ」は、ネットワーク側によってサービスが提供される異なる通信エンティティに論理的に対応する。例えば、二重登録機能を有する端末は、ネットワーク側の2つの通信エンティティに相当する。別の例の場合、「ユーザ」がSIMカードまたは加入者情報に対応するとき、ネットワーク側は、異なるSIMカードまたは異なる加入者情報を有する2つの端末を2つの異なる通信エンティティとして識別するか、あるいは複数の異なるSIMカードまたは複数の加入者情報を複数の異なる通信エンティティとして識別するが、実際には、複数の異なるSIMカードまたは複数の加入者情報を有する端末は、1つの物理エンティティにすぎない。
【００６９】
本出願のこの実施形態では、無線通信装置は、端末であってもよく、またはチップであってもよい。無線通信装置がチップである場合、無線通信装置は、システムオンチップ（System−on−a−Chip、SoC）マスターチップまたはベースバンドモデム（modem）チップであってもよく、チップは端末に適用され得る。無線通信装置が端末である場合、無線通信装置は、ユーザ機器（user equipment、UE）、アクセス端末、加入者ユニット、加入者局、モバイル局、遠隔局、遠隔端末、モバイルデバイス、ユーザ端末、無線通信デバイス、ユーザエージェント、またはユーザ装置と呼ばれることもある。
【００７０】
前述の説明を参照すると、図2は、本出願の一実施形態による無線通信装置の概略構造図である。
【００７１】
図2に示される無線通信装置200は、処理モジュール201、ベースバンドモジュール202、トランシーバモジュール203、記憶モジュール204などを含む。処理モジュール201は、無線通信装置200全体を制御し、ソフトウェアプログラムを実行し、ソフトウェアプログラムのデータを処理するように主に構成される。ベースバンドモジュール202は、通信プロトコルおよび通信データを処理する、例えば、チャネルコーディング、多重化、変調、およびスペクトル拡散を実行するように主に構成される。無線通信装置200は、第1のユーザおよび第2のユーザが同時に異なるネットワークに接続することを可能に得る。それに応じて、ベースバンドモジュール202は、第1の通信モジュール2021および第2の通信モジュール2022を含み得る。具体的には、第1の通信モジュール2021は、第1のユーザのID情報を取得し、第1のユーザに関連付けられたプロトコルスタック情報を確立するなどを行うことができる。第1の通信モジュール2021は、第1のユーザが第1のネットワークに接続できるように、すなわち、端末（またはユーザ機器（user equipment、UE））が第1のユーザのIDとして第1のネットワークに接続できるように構成される。第2の通信モジュール2022は、第2のユーザのID情報を取得し、第2のユーザに関連付けられたプロトコルスタック情報を確立するなどを行うことができる。第2の通信モジュール2022は、端末（またはUE）が第2のユーザのIDとして第2のネットワークに接続できるように構成される。第1のネットワークは、LTEネットワーク、NRネットワークなどであり得る。第2のネットワークは、LTEネットワーク、NRネットワークなどであり得る。これは、本出願のこの実施形態では限定されない。
【００７２】
処理モジュール201およびベースバンドモジュール202は、別個に独立したモジュールであってもよく、または1つのモジュールに組み合わされてもよいことに留意していただきたい。処理モジュール201とベースバンドモジュール202を組み合わせて1つのモジュールとした場合、モジュールは、処理モジュール201とベースバンドモジュール202の各機能を含む機能を有し、モジュールは独立した端末や独立したチップなどであってもよい。
【００７３】
トランシーバモジュール203にあり、送信機能を実装するように構成されたモジュールは送信モジュール2031と見なされ、トランシーバモジュール203にあり、受信機能を実装するように構成されたモジュールは受信モジュール2032と見なされる。具体的には、トランシーバモジュール203は、送信モジュール2031および受信モジュール2032を含み、受信モジュール2032は、受信機、入力インタフェース、受信機回路などとも呼ばれ場合があり、送信モジュール2031は、送信マシン、送信機、出力インタフェース、送信機回路などと呼ばれる場合がある。
【００７４】
前述のモジュールは、ソフトウェアコードを介して実装される機能モジュールであってもよく、またはハードウェア回路を介して実装される機能モジュール、またはソフトウェアとハードウェアを組み合わせることによって実装される機能モジュールであってもよい。これは、本出願のこの実施形態では限定されない。
【００７５】
本出願のこの実施形態では、無線通信装置200の第1の通信モジュール2021は、第1のユーザが第1のネットワークに接続できるようにした後、第1のユーザと第1のネットワークの第1のセルとの無線接続を維持し得る。無線接続は、第1のユーザが第1のセルで接続状態であり得、接続状態は、無線リソース制御（radio resource control、RRC）接続状態であり得る。無線通信装置200の第2の通信モジュール2022は、第2のユーザが第2のネットワークに接続することを可能にした後、第2のユーザが第2のネットワークの第2のセルにキャンプすることを可能にする。
【００７６】
この場合、無線通信装置200は、第1のネットワークの第1のセルで接続状態となって、第1のセルとのデータ送信などの動作を行い、第2のネットワークの第2のセルにキャンプし、第2のセルによって無線通信装置200に送信されるページングシグナリングなどのシグナリングをリスンし得る。
【００７７】
無線通信装置200が第2のネットワークでデータ送信を行う必要がある場合、図3に示される通信方法が実行され得る。
【００７８】
ステップ301：無線通信装置は、第1の要求メッセージを第1のセルに送信し、第1の要求メッセージは、第1のユーザと第1のセルとの無線接続を解放することを要求するために使用される。
【００７９】
任意選択で、本出願のこの実施形態では、第1の要求メッセージは、ステップ301の意味または機能を含むが、これらに限定されない。例えば、無線通信装置によって送信された第1の要求メッセージは、第1のセルの無線通信装置の状態を切り替えることを要求するために代替的に使用され得、または無線通信装置によって送信された第1の要求メッセージは、第1のユーザと第1のセルとの無線接続を変更することを要求するために代替的に使用され得る。
【００８０】
ステップ302：無線通信装置は、第1のセルから応答メッセージを受信し、応答メッセージは、第1の要求メッセージに応答するために使用される。
【００８１】
ステップ303：無線通信装置は、第2の要求メッセージを第2のセルに送信し、第2の要求メッセージは、第2のユーザと第2のセルとの無線接続を確立することを要求するために使用される。
【００８２】
ステップ301の前に、可能な場合には、無線通信装置は、第2のセルによって送信されたページングシグナリングを受信することができ、ページングシグナリングは、無線通信装置をページングして第2のネットワークでサービスを実行するために使用される。第2のセルのページングシグナリングを受信した後、無線通信装置はステップ301を実行する。
【００８３】
例えば、ページングシグナリングは、無線通信装置をページングして、第2のネットワークで次のサービス、すなわち、
緊急コール（emergency）、
高優先度アクセス（highPriorityAccess）、
モバイル終端アクセス（mobile terminate−Access、mt−Access）、
モバイル発信シグナリング（mobile originatingSignaling、mo−Signaling）、
モバイル発信データ（mobile originatingData、mo−Data）
遅延許容アクセス（delayTolerantAccess）、および
モバイル発信音声コール（mobile originatingVoiceCall、mo−VoiceCall）
のいずれか1つを実行するために使用され得る。
【００８４】
確かに、前述は単なる一例である。あるいは、ページングシグナリングは、無線通信装置を代替的にページングして、第2のネットワークで別のタイプのサービスを実行することができる。本明細書では、例は1つずつ説明されない。
【００８５】
本出願のこの実施形態では、ページングシグナリングは、サービスタイプ指示情報およびサービスQoS情報の少なくとも1つを含み得る。
【００８６】
サービスタイプ指示情報によって示されるサービスは、音声サービス、データサービス、低遅延サービス、高信頼性サービス、または低遅延および高信頼性サービスのうちの少なくとも1つであり、サービスQoS情報は、サービスQCI指示情報、サービス待ち時間要件指示情報、およびサービス信頼性要件指示情報のうちの少なくとも1つを含む。
【００８７】
任意選択で、無線通信装置が第1のネットワークでデータ送信サービスを実行する場合、ページングシグナリングが無線通信装置をページングして第2のネットワークで実行するサービスの優先度が、第1のネットワークの無線通信装置によって実行されるデータ送信サービスのそれより高いとき、ステップ301から303が実行され、そうでない場合、ステップ301から303は実行されなくてもよい。
【００８８】
ステップ301の前に、別の可能な場合には、無線通信装置は、第2のセルへのサービス確立プロセスをアクティブに開始し、無線通信装置は、ステップ301から303を実行する。
【００８９】
任意選択で、無線通信装置が第1のネットワークでデータ送信サービスを実行する場合、無線通信装置によってアクティブに開始される第2のセルへのサービス確立プロセスで確立されるサービスの優先度は、第1のネットワークの無線通信装置によって実行されるデータ送信サービスの優先度よりも高い。
【００９０】
任意選択で、ステップ301では、第1の要求メッセージは、RRCシグナリング、例えば、ユーザ機器支援情報（UE Assistance Information）シグナリングであってもよい。それに応じて、ステップ302で、第1のセルによって送信された応答メッセージは、RRC接続再確立メッセージ、RRC接続解放メッセージ、RRC接続再構成メッセージなどであり得る。
【００９１】
本出願のこの実施形態では、第1の要求メッセージは既存のメッセージを使用することができ、情報要素（information element、IE）を第1の要求メッセージに追加することができ、追加されたIEは無線通信装置が第1のネットワークで優先する状態を示すか、または第1のユーザと第1のセルとの無線接続を解放または変更するための要求を示すために使用される。
【００９２】
例えば、第1の要求メッセージは、既存の第3世代パートナーシッププロジェクト（the 3rd generation partnership project、3GPP）36331プロトコルでのUE支援情報シグナリングであり得る。この場合、第1の要求メッセージは、新しく追加されたIE：rrcConnectionPreference−r15を含み得る。具体的には、第1の要求メッセージは次のようになり得る、すなわち、
UEAssistanceInformation−v1500−IEs：：＝SEQUENCE｛
・・・
rrcConnectionPreference−r15 SEQUENCE｛
state−Preference−r15 State−Preference−r15 OPTIONAL，
｝OPTIONAL
・・・
rlm−Report−r14 SEQUENCE｛rlm−Event−r14 ENUMERATED｛earlyOutOfSync，earlyInSync｝，
excessRep−MPDCCH−r14 ENUMERATED｛excessRep1，excessRep2｝OPTIONAL
｝OPTIONAL，delayBudgetReport−r14 DelayBudgetReport−r14 OPTIONAL，
nonCriticalExtension SEQUENCE｛｝OPTIONAL｝
BW−Preference−r14：：＝SEQUENCE｛
dl−Preference−r14 ENUMERATED｛mhz1dot4，mhz5，mhz20｝OPTIONAL，
ul−Preference−r14 ENUMERATED｛mhz1dot4，mhz5｝OPTIONAL｝・・・｝
【００９３】
rrcConnectionPreference−r15は、無線通信装置が第1のネットワークで優先する状態（またはRRC状態と呼ばれる）を示す。異なる状態に関連付けられた値は異なり、rrcConnectionPreference−r15の値は、無線通信装置が優先する状態に関連付けられた値である。例えば、非アクティブ状態に関連付けられた値はA、ライト接続状態に関連付けられた値はB、アイドル状態に関連付けられた値はC、および接続状態に関連付けられた値はDである。無線通信装置がライト接続状態を優先する場合、第1の要求メッセージのrrcConnectionPreference−r15の値はBである。詳細は次のとおりであり得る、すなわち、
UEAssistanceInformation−v1500−IEs：：＝SEQUENCE｛
・・・
rrcConnectionPreference−r15 SEQUENCE｛
B
｝
・・・
｝
【００９４】
任意選択で、第1の要求メッセージの情報要素rrcConnectionPreference−r15は、次の情報要素のいずれか1つに代替的に置き換えることもできる、すなわち、
rrcConnectionPreference−r15 SEQUENCE｛
state−Preference−r15 State−Preference−r15 OPTIONAL，
ul−Rf−Preference−r15 UL−RF−Preference−r15 OPTIONAL，
｝OPTIONAL
or rrcConnectionPreference−r15 SEQUENCE｛
ul−Rf−Preference−r15 UL−RF−Preference−r15 OPTIONAL，
｝OPTIONAL
or rrcConnectionAssistance−r15 SEQUENCE｛
state−Preference−r15 State−Preference−r15 OPTIONAL，
｝OPTIONAL
or rrcConnectionAssistance−r15 SEQUENCE｛
state−Preference−r15 State−Preference−r15 OPTIONAL，
ul−Rf−Preference−r15 UL−RF−Preference−r15 OPTIONAL，
｝OPTIONAL，
｝
or rrcConnectionAssistance−r15 SEQUENCE｛
ul−Rf−Preference−r15 UL−RF−Preference−r15 OPTIONAL，
｝OPTIONAL
or rrcConnectionReleaseRequest−r15 SEQUENCE｛
state−Preference−r15 State−Preference−r15 OPTIONAL，
｝OPTIONAL
or rrcConnectionReleaseRequest−r15 SEQUENCE｛
state−Preference−r15 State−Preference−r15 OPTIONAL，
ul−Rf−Preference−r15 UL−RF−Preference−r15 OPTIONAL，
｝OPTIONAL
or rrcConnectionReleaseRequest−r15 SEQUENCE｛
ul−Rf−Preference−r15 UL−RF−Preference−r15 OPTIONAL，
｝OPTIONAL
or State−Preference−r15：：＝SEQUENCE｛
state ENUMERATED｛idle，inactive，light，maintenance／connected｝OPTIONAL
｝
or UL−RF−Preference−r15：：＝SEQUENCE｛
ul−Rf ENUMERATED｛single，dual，triple，four｝OPTIONAL
【００９５】
確かに、前述は単なる一例である。第1の要求メッセージは他のコンテンツを代替的に含めることができ、rrcConnectionPreference−r15は代替的に別の形式にすることもできる。本明細書では、例は1つずつ説明される。
【００９６】
任意選択で、第1の要求メッセージは、代替として、接続解放要求メッセージ（connection release request message）、接続変更要求メッセージ（connection change request message）、状態変更要求メッセージ（state change request message）などであってもよい。この場合、第1の要求メッセージの特定の構造については、第1の要求メッセージがUE支援情報シグナリングである場合の説明を参照されたい。詳細については、本明細書では再度説明されない。
【００９７】
確かに、第1の要求メッセージは、代替として、メディアアクセス制御（media access control、MAC）制御要素（control element、CE）などのより上位の層のシグナリングであってもよい。詳細については、本明細書では説明されない。
【００９８】
本出願のこの実施形態では、ステップ301および302は、異なるシナリオを有し得る。次で詳細な説明を提供する。
【００９９】
本出願のこの実施形態での第1の可能なシナリオでは、無線通信装置が第1の要求メッセージを送信し、第1のセルから応答メッセージを受信した後、無線通信装置は、第1のユーザが第1のネットワークでプリセット状態に切り替えることを可能にし、プリセット状態は、非アクティブ（inactive）状態、ライト接続（light connection）状態、またはアイドル（idle）状態である。非アクティブ状態は、RRC非アクティブ状態であり得る。
【０１００】
プリセット状態は、事前に無線通信装置とネットワーク側とで合意されており、プリセット状態を具体的にどのように合意するかは、本実施のこの実施形態では限定されないことに留意していただきたい。
【０１０１】
このシナリオでは、第1の要求メッセージは、接続解放指示情報を含む場合があり、接続解放指示情報はRRC接続解放要求指示情報（rrcConnectionReleaseRequest、rrcConnRelRequest、またはrrcConnRelReq）とも呼ばれるか、またはRRC接続支援指示情報（rrcConnectionAssistance、rrcConnAssistance、またはrrcConnAssis）と呼ばれる場合がある。
【０１０２】
第1の可能な実装では、接続解放指示情報はKビットを含み、Kは0より大きい整数である。接続解放指示情報の値が第1の値である場合、それは第1のユーザと第1のセルとの無線接続が解放されるように要求されることを示すか、または接続解放指示情報の値が第2の値である場合、それは第1のユーザと第1のセルとの無線接続が維持される（または「解放されない」と呼ばれる）ように要求されることを示す。第2の値は第1の値以外の値である。例えば、接続解放指示情報は1ビットを含み、第1の値は1で、第2の値は0である。接続解放指示情報の値が1である場合、それは第1のユーザと第1のセルとの無線接続が解放されるように要求されることを示すか、または接続解放指示情報の値が0である場合、それは第1のユーザと第1のセルとの無線接続が維持されるように要求されることを示す。
【０１０３】
第2の可能な実装では、接続解放指示情報の値タイプは代替的にブール（BOOLEAN）タイプであり得、具体的には次のとおりである、すなわち、接続解放指示情報の値が1である場合、それは第1のユーザと第1のセルとの無線接続が解放されるように要求されることを示すか、または接続解放指示情報の値が0である場合、それは第1のユーザと第1のセルとの無線接続が維持されるように要求されることを示す。代替として、接続解放指示情報の値が1である場合、それは第1のユーザと第1のセルとの無線接続が維持されるように要求されることを示すか、または接続解放指示情報の値が0である場合、それは第1のユーザと第1のセルとの無線接続が解放されるように要求されることを示す。
【０１０４】
第3の可能な実装では、第1の要求メッセージが接続解放指示情報を含む場合、それは第1のユーザと第1のセルとの無線接続が解放されるように要求されることを示すか、または第1の要求メッセージが接続解放指示情報を含まない場合、それは第1のユーザと第1のセルとの無線接続が維持されるように要求されることを示す。
【０１０５】
第4の可能な実装では、第1の要求メッセージが接続解放指示情報を含まない場合、それは第1のユーザと第1のセルとの無線接続が解放されるように要求されることを示すか、または第1の要求メッセージが接続解放指示情報を含む場合、それは第1のユーザと第1のセルとの無線接続が維持されるように要求されることを示す。
【０１０６】
このシナリオでは、無線通信装置と第1のセルとの間で交換されるシグナリングは、いくつかのリソースを占有し、第1のセルから応答メッセージを受信した後、無線通信装置は、第1のユーザと第1のセルとの無線接続を解放し、第2のセルへの無線接続を迅速に確立し得、それによって、第2のセルでのサービスの確立の遅延を低減し得る。
【０１０７】
本出願のこの実施形態での第2の可能なシナリオでは、無線通信装置によって受信された応答メッセージは、第1の状態指示情報を含み、第1の状態指示情報は第1のユーザに指示して、非アクティブ状態、ライト接続状態、またはアイドル状態に切り替える。第1の状態指示情報は、RRC接続設定指示情報（rrcConnectionPreference、rrcConnPreference、またはrrcConnPref）と呼ばれる場合もある。
【０１０８】
無線通信装置が第1のセルから応答メッセージを受信した後、無線通信装置は、第1のユーザが第1のネットワークで、第1の状態指示情報によって示される状態に切り替えることを可能にする。
【０１０９】
このシナリオでは、第1のセルが実際の状況に基づいて第1のユーザを対応する状態に切り替えることができるので、実装がより柔軟になる。
【０１１０】
本出願のこの実施形態での第3の可能なシナリオでは、無線通信装置によって送信される第1の要求メッセージは、第2の状態指示情報を含み得、第2の状態指示情報は第1のユーザに指示して、非アクティブ状態、ライト接続状態、またはアイドル状態に入る。
【０１１１】
このシナリオでは、無線通信装置は、第2の状態指示情報を使用することによって好適な状態を示すために、現在のリソースの占有などの要因に基づいて好適な状態を決定することができる。
【０１１２】
第1の要求メッセージを受信した後、第1のセルは、無線通信装置に指示して、第1のセルの第1のユーザの状態を第2の状態指示情報によって示される状態に切り替えることができるか、または無線通信装置に指示して、第1のセルの第1のユーザの状態を別の状態に切り替えることができる。これは、本出願のこの実施形態では限定されない。
【０１１３】
任意選択で、ステップ301では、無線通信装置によって送信される第1の要求メッセージは、状態切り替え要求の原因をさらに含み得る。
【０１１４】
例えば、状態切り替え要求の原因は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール
のいずれか1つを実行することある。
【０１１５】
別の例では、状態切り替え要求の原因は、無線通信装置のアップリンク無線周波数が占有されていることである。
【０１１６】
確かに、前述は単なる一例であり、状態切り替え要求の原因は別の原因であり得る。本明細書では、例は1つずつ説明されない。
【０１１７】
任意選択で、無線通信装置が第1の要求メッセージを第1のセルに送信した後、無線通信装置は、タイミングモジュールをさらに起動することができる。タイミングモジュールのタイミング期間は、送信モジュールが第1の要求メッセージを送信するための最小間隔期間である。この場合、タイミングモジュールが期限切れになる前に、無線通信装置は第1の要求メッセージを第1のセルに送信しない。無線通信装置が第1の要求メッセージを一度だけ送信できる場合、無線通信装置は、タイミングモジュールが期限切れになった後、第1の要求メッセージを第1のセルに送信しない。
【０１１８】
さらに、無線通信装置が第1の要求メッセージを第1のセルに送信した後、無線通信装置は、カウントモジュールのカウント値を1だけさらに増加させてもよい。カウントモジュールは、送信モジュールによって送信された第1の要求メッセージの量をカウントするように構成される。カウントモジュールによってカウントされた値がNより大きい場合、無線通信装置は第1の要求メッセージの送信を停止し、Nは無線通信装置が第1の要求メッセージを送信する回数の最大値であり、Nは0より大きい整数である。それに応じて、タイミングモジュールが期限切れになった後、無線通信装置は、カウントモジュールによってカウントされた値がNより大きい場合、第1の要求メッセージを第1のセルに送信しなくなる。タイミングモジュールが期限切れになった後、無線通信装置は、カウントモジュールによってカウントされた値がN以下の場合、第1の要求メッセージを第1のセルに再度送信し得る。
【０１１９】
タイミングモジュールのタイミング期間およびNの値は、無線通信装置のために第1のセルによって事前構成され得ることに留意していただきたい。例えば、タイミングモジュールのタイミング期間およびNの値は、無線通信装置にブロードキャストされるか、またはタイミングモジュールのタイミング期間およびNの値は、RRCシグナリングを使用することによって無線通信装置に送信され得る。これは、本出願のこの実施形態では限定されない。
【０１２０】
任意選択で、ステップ301では、無線通信装置によって送信される第1の要求メッセージは、第1のユーザと第1のセルとの無線接続を維持することを要求するために使用され得る。しかしながら、無線通信装置は、第1のユーザがアップリンクデータを第1のセルに送信することを可能にすることができない。前述の方法によれば、第1のネットワークは、専用シグナリングを使用することによって、確立される新しいサービスがあるかどうかを第1のユーザに引き続き通知することができ、それによってサービス確立効率を改善できる。
【０１２１】
ステップ302で、応答メッセージは無線通信装置用に構成されたアップリンク送信リソース（UpLink grantリソース）を含み得、アップリンク送信リソースは、第1のユーザが非アクティブ状態またはライト接続状態から第1のネットワークとの送信を復元するとき、アップリンクデータ送信を実行するために使用される。
【０１２２】
本方法によれば、第1のネットワークへの無線接続を復元するとき、無線通信装置は第1のネットワークとのアップリンク同期を迅速に復元し、アップリンク送信リソースを使用することによってデータ送信を行うことができる。
【０１２３】
任意選択で、第1のユーザが非アクティブ状態、ライト接続状態、またはアイドル状態に入ることを可能にした後、無線通信装置は、タイミングアドバンスタイマー（timing advance timer、TAT）を維持し続け、タイミングアドバンスタイマーのアップリンクタイミング値を格納する。この場合、無線通信装置が第1のネットワークへの無線接続を復元する前に、タイミングアドバンスタイマーが期限切れではないことを第1のユーザが決定できるようにするとき、無線通信装置は、第1のユーザのために格納されたアップリンクタイミング値に基づいてアップリンクデータ送信を実行するか、または現在のアップリンクタイミング値および構成されたアップリンク送信リソースに基づいてアップリンクデータ送信を実行する。
【０１２４】
任意選択で、無線通信装置は第1のユーザが非アクティブ状態、ライト接続状態、またはアイドル状態に入ることを可能にした後、無線通信装置は、第1のネットワークによって送信される専用シグナリングをリスンし続ける。
【０１２５】
専用シグナリングは、サービス確立要求、ページング要求、または第1のネットワークの第1のユーザの新しいデータ無線ベアラ確立要求を示すために使用される。例えば、専用シグナリングは、物理ダウンリンク制御チャネル（physical downlink control channel、PDCCH）専用シグナリングであり得る。
【０１２６】
前述の方法によれば、第1のネットワークは、専用シグナリングを使用することによって、確立される新しいサービス、例えば、新しいデータ無線ベアラ（data resource bearer、DRB）確立要求があるかどうかを第1のユーザに引き続き通知することができ、これは、ページングを介して、新しいサービスを確立するように第1のユーザを指示すことと同じである。
【０１２７】
ステップ303で、無線通信装置が確立することを要求する第2のユーザと第2のセルとの無線接続は、RRC接続であり得る。それに応じて、第2の要求メッセージは、RRC接続確立要求メッセージであり得る。
【０１２８】
任意選択で、第2の要求メッセージは確立原因の値を含み得る。例えば、確立原因の値は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することである。
【０１２９】
第2のユーザが第2のセルへの無線接続を確立できるようにした後、無線通信装置は第2のセルとのデータ送信を実行することができる。これに応じて、無線通信装置は第1のセルで、非アクティブ状態、ライト接続状態、またはアイドル状態である。
【０１３０】
次では、特定の実施形態を使用することによって前述のプロセスを説明する。
【０１３１】
図4は、本出願の一実施形態による通信方法の概略フローチャートである。
【０１３２】
図4では、無線通信装置は、第1のネットワークと第2のネットワークに同時に接続することができる。現在、無線通信装置は、第1のネットワークの第1のセルへのRRC接続を維持し、第2のネットワークの第2のセルにキャンプする。この場合、無線通信装置は、第2のセルによって送信された無線シグナリングをリスンすることができる。
【０１３３】
ステップ401：無線通信装置は、第1のネットワークの第1のセルにより第1のサービスのデータ送信を実行する。
【０１３４】
本出願のこの実施形態では、第1のサービスのタイプは限定されず、本明細書では詳細は説明されない。
【０１３５】
ステップ402：無線通信装置は、第2のセルによって送信されたページングシグナリングを第2のセルで受信し、ページングシグナリングは、無線通信装置をページングして第2のネットワークで第2のサービスを実行するために使用される。
【０１３６】
第2のサービスの優先度は、第1のサービスの優先度より高くてもよい。
【０１３７】
確かに、ステップ402では、代替として無線通信装置が、第2のセルへの第2のサービス確立プロセスをアクティブに開始することができる。
【０１３８】
ステップ403：無線通信装置は、第1の要求メッセージを第1のセルに送信する。
【０１３９】
第1の要求メッセージは、第1のセルへの無線接続を解放することを要求するために使用される。
【０１４０】
第1の要求メッセージは、接続解放指示情報を含むことができ、接続解放指示情報の値が1であることは、第1のセルへの無線接続が解放されるように要求されることを示す。
【０１４１】
ステップ404：第1のセルは、第1の要求メッセージに応答して、応答メッセージを無線通信装置に送信する。
【０１４２】
応答メッセージを受信した後、無線通信装置は、第1のセルでプリセット状態に切り替えることができる。
【０１４３】
確かに、応答メッセージが第1の状態指示情報を含むとき、無線通信装置は、第1のセルで、第1の状態指示情報によって示される状態に切り替えることができる。
【０１４４】
第1の要求メッセージと応答メッセージは、他のコンテンツをさらに含み得る。詳細については、本明細書では説明されない。
【０１４５】
ステップ405：無線通信装置は、第2の要求メッセージを第2のセルに送信し、第2の要求メッセージは、第2のセルへのRRC接続を確立することを要求するために使用される。
【０１４６】
第2のセルへのRRC接続を確立した後、無線通信装置は、第2のサービスのデータ送信を実行することができる。特定のプロセスについては、本明細書では説明されない。
【０１４７】
前述では、添付図面を参照して、本出願の実施形態での通信方法を詳細に説明しているが、以下では、添付図面を参照して、本出願の実施形態での無線通信装置を詳細に説明する。
【０１４８】
図5は、本出願の一実施形態による無線通信装置の概略構造図である。図5に示される無線通信装置は、図2に示される無線通信装置のハードウェア回路の実装であり得る。無線通信装置は、図3または図4に示されるフローチャートで、前述の方法の実施形態での無線通信装置を実行するための機能に適用可能である。説明を簡単にするために、図5は、無線通信装置の主要なコンポーネントのみを示す。図5に示されるように、無線通信装置500は、プロセッサ501、メモリ502、トランシーバ503、アンテナ504、および入力／出力装置505を含む。プロセッサ501は、通信プロトコルおよび通信データを処理し、無線通信装置全体を制御し、ソフトウェアプログラムを実行し、ソフトウェアプログラムのデータを処理するように主に構成される。例えば、プロセッサ501は、例えば、第1の要求メッセージを第1のセルに送信するなど、前述の方法の実施形態で説明されたアクションを実行する際に無線通信装置をサポートするように構成される。メモリ502は、ソフトウェアプログラムおよびデータを格納するように主に構成される。トランシーバ503は、ベースバンド信号と無線周波数信号との変換を実行し、無線周波数信号を処理するように主に構成される。アンテナ504は、電磁波の形で無線周波数信号を送受信するように主に構成される。タッチスクリーン、ディスプレイ、またはキーボードなどの入力／出力装置505は、ユーザによって入力されたデータを受け取り、ユーザにデータを出力するように主に構成される。
【０１４９】
無線通信装置500に電源が投入された後、プロセッサ501は、メモリ502のソフトウェアプログラムを読み取り、次の手順、すなわち、
端末が第1のユーザのIDとして第1のネットワークに接続できるようにし、第1のネットワークの第1のセルへの無線接続を維持すること、および、端末が第2のユーザのIDとして第2のネットワークに接続できるようにし、第2のネットワークの第2のセルにキャンプすること、
を実行し得る。
【０１５０】
トランシーバ503は、第1の要求メッセージを第1のセルに送信し、第1の要求メッセージは、第1のユーザと第1のセルとの無線接続を解放することを要求するために使用されるように構成される。
【０１５１】
トランシーバ503は、第1のセルから応答メッセージを受信し、応答メッセージは、第1の要求メッセージに応答するために使用されるように構成される。
【０１５２】
トランシーバ503は、第2の要求メッセージを第2のセルに送信し、第2の要求メッセージは、第2のユーザと第2のセルとの無線接続を確立することを要求するために使用されるようにさらに構成される。
【０１５３】
当業者は、説明を簡単にするために、図5は1つのメモリおよび1つのプロセッサのみを示すことを理解するであろう。実際の無線通信装置には、複数のプロセッサおよび複数のメモリが存在する場合がある。メモリは、記憶媒体、記憶デバイスなどと呼ばれることもある。これは、本出願のこの実施形態では限定されない。
【０１５４】
任意選択の実装では、無線通信装置は第1のユーザのIDとして第1のセルで接続状態であり、
応答メッセージは、第1の状態指示情報を含み、第1の状態指示情報は、第1のユーザが切り替える非アクティブ状態、ライト接続状態、またはアイドル状態を示し、
プロセッサ501は、第1のユーザが第1のネットワークの第1の状態指示情報によって示される状態に切り替えることができるようにさらに構成される。
【０１５５】
応答メッセージは第1の状態指示情報を含むので、無線通信装置は、第1の状態指示情報に基づいて第1のセルの第1のユーザの状態を直接決定し得、それによって状態切り替え遅延を低減し、システム効率を改善し得る。
【０１５６】
任意選択の実装では、無線通信装置は第1のユーザのIDとして第1のセルで接続状態であり、
第1の要求メッセージは、第2の状態指示情報を含み、第2の状態指示情報は、第1のユーザが入る非アクティブ状態、ライト接続状態、またはアイドル状態を示す。
【０１５７】
無線通信装置は、第2の状態指示情報を使用することによって、第1のユーザが第1のセルで維持する必要がある状態を示すので、ネットワーク側は、無線通信装置の第1のセルにある状態を比較的迅速に決定でき、それによってシステム効率を改善する。
【０１５８】
任意選択の実装では、無線通信装置は第1のユーザのIDとして第1のセルで接続状態であり、
トランシーバ503が第1のセルから応答メッセージを受信した後、第1の通信モジュールは、第1のユーザが第1のネットワークのプリセット状態に切り替えることができ、プリセット状態は非アクティブ状態、ライト接続状態、またはアイドル状態であるようにさらに構成される。
【０１５９】
任意選択の実装では、第1の要求メッセージは状態切り替え要求の原因を含み、
状態切り替え要求の原因は、第2のユーザが第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
状態切り替え要求の原因は、無線通信装置のアップリンク無線周波数が占有されていることである。
【０１６０】
任意選択の実装では、無線通信装置はタイミングモジュールをさらに含み、トランシーバ503が第1の要求メッセージを第1のセルに送信した後、プロセッサ501は、
タイミングモジュールを起動し、タイミングモジュールのタイミング期間は、送信モジュールが第1の要求メッセージを送信するための最小間隔期間である、
ように構成される。
【０１６１】
第1の要求メッセージを送信する頻度は、タイミングモジュールを起動することで効果的に制御でき、これによって、シグナリングストームを回避し、システムリソースの使用率を改善する。
【０１６２】
任意選択の実装では、無線通信装置はカウントモジュールをさらに含み、プロセッサ501は、
カウントモジュールのカウント値を1だけ増加させ、カウントモジュールは、送信された第1の要求メッセージの量をカウントするようにさらに構成され、無線通信装置は、カウントモジュールによってカウントされた値がNより大きい場合、第1の要求メッセージの送信を停止し、Nは第1の要求メッセージを送信する回数の最大値で、Nは0より大きい整数である。
【０１６３】
任意選択の実装では、第1の要求メッセージはユーザ機器支援情報シグナリングであり、第1の要求メッセージは無線リソース制御RRC接続解放要求指示情報を含み、RRC接続解放要求指示情報は第1のユーザと第1のセルとの無線接続の解放を要求するために使用される。
【０１６４】
本出願の一実施形態は、コンピュータ可読媒体をさらに提供する。コンピュータ可読媒体は、コンピュータプログラムを格納する。コンピュータプログラムがコンピュータによって実行されるとき、任意の方法の実施形態による方法が実装される。
【０１６５】
本出願の一実施形態は、コンピュータプログラム製品をさらに提供する。コンピュータプログラム製品がコンピュータによって実行されるとき、任意の方法の実施形態による方法が実装される。
【０１６６】
本出願の実施形態のプロセッサは、中央処理装置（Central Processing Unit、CPU）であってもよく、あるいは別の汎用プロセッサ、デジタル信号プロセッサ（digital signal processor、DSP）、特定用途向け集積回路、（application specific integrated circuit、ASIC）、フィールドプログラマブルゲートアレイ（field programmable gate array、FPGA）、または別のプログラマブル論理デバイス、ディスクリートゲイトまたはトランジスタ論理デバイス、ディスクリートハードウェアコンポーネントなどであってもよいことを理解していただきたい。汎用プロセッサは、マイクロプロセッサであってもよく、またはプロセッサは、任意の従来のプロセッサなどであってもよい。
【０１６７】
前述の実施形態の全部または一部は、ソフトウェア、ハードウェア（例えば、回路）、ファームウェア、またはそれらの任意の組み合わせを使用することによって実装され得る。ソフトウェアが実施形態を実装するために使用される場合、前述の実施形態の全部または一部はコンピュータプログラム製品の形で実装され得る。コンピュータプログラム製品は、1つ以上のコンピュータ命令またはコンピュータプログラムを含む。プログラム命令またはコンピュータプログラムがコンピュータにロードされ実行されると、本出願の実施形態による手順または機能は全部または部分的に生成される。コンピュータは、汎用コンピュータ、専用コンピュータ、コンピュータネットワーク、または別のプログラム可能な装置とすることができる。コンピュータ命令は、コンピュータ可読記憶媒体に格納されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに有線（例えば、赤外線、無線、およびマイクロ波）の方法で送信されてもよい。コンピュータ可読記憶媒体は、コンピュータによってアクセス可能な任意の使用可能媒体、または1つ以上の使用可能媒体セットを含むサーバまたはデータセンタなどのデータ記憶デバイスとすることができる。使用可能な媒体は、磁気媒体（例えば、フロッピーディスク、ハードディスク、または磁気テープ）、光学媒体（例えば、DVD）、または半導体媒体であり得る。半導体媒体は、ソリッドステートドライブであり得る。
【０１６８】
本明細書の「および／または」という用語は、関連オブジェクトを説明するための関連関係のみを説明し、3つの関係が存在する可能性があることを表すことを理解していただきたい。例えば、Aおよび／またはBは、以下の3つの場合を表すことがある、すなわち、Aのみが存在する、AとBの両方が存在する、およびBのみが存在する。なお、本明細書における「／」は、通常「および／または」を簡略化したものである。
【０１６９】
前述のプロセスのシーケンス番号は、本出願の様々な実施形態での実行シーケンスを意味しないことを理解していただきたい。プロセスの実行シーケンスは、プロセスの機能および内部ロジックにより決定されるべきであり、本出願の実施形態の実装プロセスに対するいかなる制限としても解釈されるべきではない。
【０１７０】
当業者は、本明細書で開示された実施形態に説明された例と組み合わせて、ユニットおよびアルゴリズムステップが電子ハードウェアまたはコンピュータソフトウェアと電子ハードウェアの組み合わせによって実装され得ることに気付くであろう。機能がハードウェアによって、またはソフトウェアによって実行されるかどうかは、特定の用途および技術的解決策の設計制約条件により異なる。当業者であれば、特定の用途ごとに説明した機能を実装するために異なる方法を使用することができるが、その実装が本出願の範囲を逸脱すると見なすべきではない。
【０１７１】
使いやすく簡潔な説明のために、前述のシステム、装置、およびユニットの詳細な作業プロセスについて、前述の方法の実施形態における対応するプロセスを指すことは、当業者によって明確に理解され得、詳細は本明細書では再度説明されない。
【０１７２】
本出願で提供されるいくつかの実施形態では、開示されたシステム、装置、および方法は、他の方法で実装され得ることを理解していただきたい。例えば、記載された装置の実施形態は単なる例である。例えば、ユニットへの分割は単なる論理的な機能分割であり、実際の実装では他の分割である場合がある。例えば、複数のユニットまたは構成要素が別のシステムに結合または統合されたり、いくつかの機能が無視されたり実行されないことがある。さらに、表示または説明された相互結合または直接結合または通信接続は、いくつかのインタフェースを使用することによって実装され得る。装置またはユニット間の間接的な結合または通信接続は、電気的、機械的、または他の形式で実装されてもよい。
【０１７３】
個別の部品として説明されるユニットは、物理的に分離されている場合とされていない場合があり、ユニットとして表示される部品は、物理ユニットである場合とそうでない場合があり、1つの位置に配置される場合も、複数のネットワークユニットに分散される場合もある。ユニットのいくつかまたはすべては、実施形態の解決策の目的を達成するために、実際の要件に基づいて選択されてもよい。
【０１７４】
さらに、本出願の実施形態における機能ユニットは、1つの処理ユニットに統合されてもよく、各ユニットは物理的に単独で存在してもよく、または2つ以上のユニットが1つのユニットに統合されてもよい。
【０１７５】
機能がソフトウェア機能ユニットの形で実装され、独立した製品として販売または使用される場合、機能はコンピュータ可読記憶媒体に保存されてもよい。そのような理解に基づいて、本出願の技術的解決策は本質的に、または従来技術に寄与する部分、もしくは技術的解決策のいくつかはソフトウェア製品の形で実装され得る。コンピュータソフトウェア製品は、記憶媒体に格納され、本出願の実施形態に説明された方法のステップのすべてまたはいくつかを実行するために、コンピュータデバイス（パーソナルコンピュータ、サーバ、またはアクセスネットワークデバイスなどであり得る）に命令するいくつかの命令を含む。前述の記憶媒体は、USBフラッシュドライブ、リムーバブルハードディスク、読み取り専用メモリ（Read−Only Memory、ROM）、ランダムアクセスメモリ（Random Access Memory、RAM）、磁気ディスク、または光ディスクなど、プログラムコードを格納できる任意の媒体を含む。
【０１７６】
前述の説明は、本出願の単なる特定の実施形態であるが、本出願の保護範囲を限定することを意図するものではない。本出願に開示された技術的範囲内で当業者によって容易に理解されるあらゆる変形または置換は、本出願の保護範囲に含まれるものとする。したがって、本発明の保護範囲は特許請求の範囲の保護範囲に従うものとする。
【符号の説明】
【０１７７】
101  ネットワークデバイス
102  ネットワークデバイス
103  無線通信装置
200  無線通信装置
201  処理モジュール
202  ベースバンドモジュール
203  トランシーバモジュール
204  記憶モジュール
500  無線通信装置
501  プロセッサ
502  メモリ
503  トランシーバ
504  アンテナ
505  入力／出力装置
2021  第1の通信モジュール
2022  第2の通信モジュール
2031  送信モジュール
2032  受信モジュール
【図１】
2021513294.tif 000003
【図２】
2021513294.tif 000004
【図３】
2021513294.tif 000005
【図４】
2021513294.tif 000006
【図５】
2021513294.tif 000007
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
第1のユーザが第1のネットワークに接続し、前記第1のネットワークの第1のセルへの無線接続を維持できるように構成される、第1の通信モジュールと、
第2のユーザが第2のネットワークに接続し、前記第2のネットワークの第2のセルにキャンプできるように構成される、第2の通信モジュールと、
第1の要求メッセージを前記第1のセルに送信し、前記第1の要求メッセージが、前記第1のユーザと前記第1のセルとの前記無線接続を解放することを要求するために使用されるように構成される、送信モジュールと、
前記第1のセルから応答メッセージを受信し、前記応答メッセージが、前記第1の要求メッセージに応答するために使用されるように構成される、受信モジュールと、
を備え、
前記送信モジュールが、第2の要求メッセージを前記第2のセルに送信し、前記第2の要求メッセージが、前記第2のユーザと前記第2のセルとの無線接続の確立を要求するために使用される、ようにさらに構成される、
無線通信装置。
【請求項２】
前記受信モジュールが、前記第2のセルからページングシグナリングを受信するように構成され、次いで前記送信モジュールが、前記ページングシグナリングに応答して前記第1の要求メッセージを前記第1のセルに送信するように構成される、
請求項1に記載の無線通信装置。
【請求項３】
前記送信モジュールが、前記第2のセルへのアクティブに開始されたサービス確立プロセスに応答して前記第1の要求メッセージを前記第1のセルに送信するように構成される、
請求項1に記載の無線通信装置。
【請求項４】
前記第1のユーザが、前記第1のセルで接続状態であり、
前記応答メッセージは、第1の状態指示情報を含み、前記第1の状態指示情報は、前記第1のユーザが切り替える非アクティブ状態、ライト接続状態、またはアイドル状態を示し、
前記第1の通信モジュールは、前記第1のユーザが前記第1のネットワークの前記第1の状態指示情報によって示される前記状態に切り替えることができるようにさらに構成される、
請求項1から3のいずれか一項に記載の無線通信装置。
【請求項５】
前記第1のユーザが、前記第1のセルで接続状態であり、
前記第1の要求メッセージは、第2の状態指示情報を含み、前記第2の状態指示情報は、前記第1のユーザが入る非アクティブ状態、ライト接続状態、またはアイドル状態を示す、
請求項1から3のいずれか一項に記載の無線通信装置。
【請求項６】
前記第1のユーザが、前記第1のセルで接続状態であり、
前記受信モジュールが前記第1のセルから前記応答メッセージを受信した後、前記第1の通信モジュールは、前記第1のユーザが前記第1のネットワークのプリセット状態に切り替えることができ、前記プリセット状態は非アクティブ状態、ライト接続状態、またはアイドル状態である、ようにさらに構成される、
請求項1から3のいずれか一項に記載の無線通信装置。
【請求項７】
前記第1の要求メッセージが、状態切り替え要求の原因を含み、
前記状態切り替え要求の原因は、前記第2のユーザが前記第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
前記状態切り替え要求の原因は、前記無線通信装置のアップリンク無線周波数が占有されていることである、
請求項1から6のいずれか一項に記載の無線通信装置。
【請求項８】
前記第1の要求メッセージはユーザ機器支援情報（UE Assistance Information）シグナリングであり、前記第1の要求メッセージは無線リソース制御（RRC）接続解放要求指示情報を含み、前記RRC接続解放要求指示情報は前記第1のユーザと前記第1のセルとの前記無線接続の解放を要求するために使用される、請求項1から7のいずれか一項に記載の無線通信装置。
【請求項９】
無線通信装置が、第1のユーザが第1のネットワークに接続することを可能にし、前記第1のネットワークの第1のセルへの無線接続を維持し、前記無線通信装置は、第2のユーザが第2のネットワークに接続することを可能にし、前記第2のネットワークの第2のセルにキャンプすることが、
前記無線通信装置によって、第1の要求メッセージを前記第1のセルに送信するステップであって、前記第1の要求メッセージが、前記第1のユーザと前記第1のセルとの前記無線接続を解放することを要求するために使用される、ステップと、
前記無線通信装置によって、前記第1のセルから応答メッセージを受信するステップであって、前記応答メッセージが、前記第1の要求メッセージに応答するために使用される、ステップと、
前記無線通信装置によって、第2の要求メッセージを前記第2のセルに送信するステップであって、前記第2の要求メッセージが、前記第2のユーザと前記第2のセルとの無線接続の確立を要求するために使用される、ステップと
を含む、通信方法。
【請求項１０】
前記方法が、
前記第2のセルからページングシグナリングを受信するステップであって、前記第1の要求メッセージが前記ページングシグナリングに応答して前記第1のセルに送信される、ステップ
をさらに含む請求項9に記載の方法。
【請求項１１】
前記第1の要求メッセージが、前記第2のセルへのアクティブに開始されたサービス確立プロセスに応答して前記第1のセルに送信される、
請求項9に記載の方法。
【請求項１２】
前記第1のユーザが前記第1のセルで接続状態であり、
前記応答メッセージは、第1の状態指示情報を含み、前記第1の状態指示情報は、前記第1のユーザが切り替える非アクティブ状態、ライト接続状態、またはアイドル状態を示し、
前記無線通信装置によって、前記第1のセルから応答メッセージを受信した前記ステップの後、前記方法が、
前記無線通信装置によって、前記第1のユーザが前記第1のネットワークの前記第1の状態指示情報によって示される前記状態に切り替えることを可能にする、ステップ
をさらに含む、請求項9から11のいずれか一項に記載の方法。
【請求項１３】
前記第1のユーザが、前記第1のセルで接続状態であり、
前記第1の要求メッセージは、第2の状態指示情報を含み、前記第2の状態指示情報は、前記第1のユーザが入る非アクティブ状態、ライト接続状態、またはアイドル状態を示す、請求項9から11のいずれか一項に記載の方法。
【請求項１４】
前記第1のユーザが、前記第1のセルで接続状態であり、
前記無線通信装置によって、前記第1のセルから応答メッセージを受信した前記ステップの後、前記方法が、
前記無線通信装置によって、前記第1のユーザが前記第1のネットワークのプリセット状態に切り替えることを可能にするステップであって、前記プリセット状態が、非アクティブ状態、ライト接続状態、またはアイドル状態である、ステップ
をさらに含む、
請求項9から11のいずれか一項に記載の方法。
【請求項１５】
前記第1の要求メッセージが、状態切り替え要求の原因を含み、
前記状態切り替え要求の原因は、前記第2のユーザが前記第2のネットワークで次のサービス、すなわち、
緊急コール、高優先度アクセス、モバイル終端アクセス、モバイル発信シグナリング、モバイル発信データ、遅延許容アクセス、およびモバイル発信音声コール、
のいずれか1つを実行することであり、または
前記状態切り替え要求の原因は、前記無線通信装置のアップリンク無線周波数が占有されていることである、
請求項9から14のいずれか一項に記載の方法。
【請求項１６】
前記無線通信装置によって、第1の要求メッセージを前記第1のセルに送信した前記ステップの後、前記方法が、
前記無線通信装置によって、タイミングモジュールを起動するステップ、
をさらに含み、
前記タイミングモジュールのタイミング期間が、送信モジュールが前記第1の要求メッセージを送信するための最小間隔期間である、
請求項9から15のいずれか一項に記載の方法。
【請求項１７】
前記方法が、
カウントモジュールを介して前記無線通信装置によって、前記送信モジュールによって送信された第1の要求メッセージの量をカウントするステップと、
前記カウントモジュールによってカウントされた値がNより大きい場合、前記無線通信装置によって、前記第1の要求メッセージの送信を停止するステップであって、Nは前記送信モジュールが前記第1の要求メッセージを送信する回数の最大値で、Nは0より大きい整数である、ステップ
をさらに含む、請求項16に記載の方法。
【請求項１８】
前記第1の要求メッセージはユーザ機器支援情報（UE Assistance Information）シグナリングであり、前記第1の要求メッセージは無線リソース制御（RRC）接続解放要求指示情報を含み、前記RRC接続解放要求指示情報は前記第1のユーザと前記第1のセルとの前記無線接続の解放を要求するために使用される、請求項9から17のいずれか一項に記載の方法。
【請求項１９】
少なくとも1つのプロセッサを備える、無線通信装置であって、前記少なくとも1つのプロセッサは少なくとも1つのメモリに結合され、
前記少なくとも1つのプロセッサは、前記少なくとも1つのメモリに格納されたコンピュータプログラムまたは命令を実行するように構成され、その結果、前記無線通信装置が、請求項9から18のいずれか一項に記載の方法を実行する、無線通信装置。
【請求項２０】
請求項9から18のいずれか一項に記載の方法をコンピュータに実行させるプログラム。
【国際調査報告】
2021513294.tif 000008
2021513294.tif 000009
2021513294.tif 000010
2021513294.tif 000011